(57)【特許請求の範囲】
【請求項１】
２以上のライブカメラが設置された位置を示すマークが重畳された地図を記録するサーバーと、
携帯電話に送信されるメッセージを作成するメッセージ生成部と、
前記サーバーに記録される地図を作成するために使用され、前記ライブカメラが設置された位置、前記ライブカメラで撮影された画像を表示するウェブページのＵＲＬ、前記ウェブページにおける前記ライブカメラで撮影された画像を表示する領域、前記ライブカメラの稼働状態に関する情報を有する第1データベースとを備え、
前記メッセージは、送信対象の携帯電話の位置情報と前記第１データベースに基づいて作成され、前記サーバーに記録された地図であって、前記送信対象の携帯電話がある位置と、前記送信対象の携帯電話がある位置の周囲に配置されたライブカメラに関する情報を有するものを含むことを特徴とする情報送信システム。
【請求項２】
前記サーバーに記録された地図には、前記情報送信システムで使用されるライブカメラがある位置に特定のマークが重畳され、
前記マークには、前記ライブカメラで撮影された画像を表示するウェブページにアクセスするためのＵＲＬ情報を含む第１ハイパーリンクが施されることを特徴とする請求項１に記載の情報送信システム。
【請求項３】
前記メッセージは、前記第１ハイパーリンクが施されたマークが重畳された地図をブラウザ表示するために、前記サーバーにアクセスした場合に、前記送信対象の携帯電話がある位置が含まれるように地図表示されるような第２ハイパーリンクが施された地図ＵＲＬ表示欄を含むことを特徴とする請求項２に記載の情報送信システム。
【請求項４】
前記メッセージの送信は、ＳＭＳを使用して行われることを特徴とする請求項３に記載の情報送信システム。
【請求項５】
２以上のライブカメラが設置された位置を示すマークが重畳された地図を記録するサーバーと、
携帯電話に送信されるメッセージを作成するメッセージ生成部とを備えた情報送信システムであって、
前記メッセージは、送信対象の携帯電話の位置情報に基づいて作成され、前記サーバーに記録された地図であって、前記送信対象の携帯電話がある位置と、前記送信対象の携帯電話がある位置の周囲に配置されたライブカメラに関する情報を有するものを含み、
前記サーバーに記録された地図には、前記情報送信システムで使用されるライブカメラがある位置に特定のマークが重畳され、
前記マークには、前記ライブカメラで撮影された画像を表示するウェブページにアクセスするためのＵＲＬ情報を含む第１ハイパーリンクが施され、
前記メッセージは、前記第１ハイパーリンクが施されたマークが重畳された地図をブラウザ表示するために、前記サーバーにアクセスした場合に、前記送信対象の携帯電話がある位置が含まれるように地図表示されるような第２ハイパーリンクが施された地図ＵＲＬ表示欄を含み、
前記送信対象の携帯電話には、前記メッセージを受信した時、若しくは、前記第２ハイパーリンクをクリックした時に、内蔵されている無線ＬＡＮ機能をオン状態に切り替えるソフトウエアがインストールされることを特徴とする情報送信システム。
【請求項６】
２以上のライブカメラが設置された位置を示すマークが重畳された地図を記録するサーバーと、
携帯電話に送信されるメッセージを作成するメッセージ生成部とを備えた情報送信システムであって、
前記メッセージは、送信対象の携帯電話の位置情報に基づいて作成され、前記サーバーに記録された地図であって、前記送信対象の携帯電話がある位置と、前記送信対象の携帯電話がある位置の周囲に配置されたライブカメラに関する情報を有するものを含み、
前記サーバーに記録された地図には、前記情報送信システムで使用されるライブカメラがある位置に特定のマークが重畳され、
前記マークには、前記ライブカメラで撮影された画像を表示するウェブページにアクセスするためのＵＲＬ情報を含む第１ハイパーリンクが施され、
前記メッセージは、前記第１ハイパーリンクが施されたマークが重畳された地図をブラウザ表示するために、前記サーバーにアクセスした場合に、前記送信対象の携帯電話がある位置が含まれるように地図表示されるような第２ハイパーリンクが施された地図ＵＲＬ表示欄を含み、
前記第２ハイパーリンクは、前記サーバーにアクセスするためのアドレスと、地図表示の際に中心近傍となる位置の緯度経度情報と、縮尺情報を含み、
前記縮尺情報で設定される縮尺は、前記送信対象の携帯電話と前記情報送信システムで使用されるライブカメラとの位置関係に基づいて、調整されることを特徴とする情報送信システム。
【請求項７】
２以上のライブカメラが設置された位置を示すマークが重畳された地図を記録するサーバーと、
携帯電話に送信されるメッセージを作成するメッセージ生成部とを備えた情報送信システムであって、
前記メッセージは、送信対象の携帯電話の位置情報に基づいて作成され、前記サーバーに記録された地図であって、前記送信対象の携帯電話がある位置と、前記送信対象の携帯電話がある位置の周囲に配置されたライブカメラに関する情報を有するものを含み、
前記サーバーに記録された地図には、前記情報送信システムで使用されるライブカメラがある位置に特定のマークが重畳され、
前記マークには、前記ライブカメラで撮影された画像を表示するウェブページにアクセスするためのＵＲＬ情報を含む第１ハイパーリンクが施され、
前記サーバーに記録される地図を作成するために使用され、前記ライブカメラが設置された位置、前記ライブカメラで撮影された画像を表示するウェブページのＵＲＬ、前記ウェブページにおける前記ライブカメラで撮影された画像を表示する領域、前記ライブカメラの稼働状態に関する情報を有する第１データベースを更に備え、
前記稼働状態に関する情報は、第１時間ごとに更新され、
前記稼働状態に関する情報を更新するため、前記第１時間ごとに、前記ウェブページにおける前記ライブカメラで撮影された画像を表示する領域の静止画が取得され、
前記静止画を取得出来ない場合、若しくは前記静止画の輝度若しくは明度が閾値よりも低い場合に、前記ライブカメラについて稼働状態でないと判断され、判断結果が、前記稼働状態に関する情報として前記第１データベースに記録され、
前記サーバーに記録される地図には、稼働状態にないと判断されたライブカメラが設置された位置を示すマークの近傍には、稼働状態でないことを示すマークが重畳されることを特徴とする情報送信システム。
【請求項８】
前記メッセージの送信は、Ｅ−ｍａｉｌを使用して行われ、
前記メッセージの送信には、前記送信対象の携帯電話がある位置を含む地図と、前記送信対象の携帯電話がある位置の周囲に配置されたライブカメラで取得された静止画が添付されることを特徴とする請求項２に記載の情報送信システム。
【請求項９】
送信対象の携帯電話の位置情報を含み、第２時間ごとに更新される第２データベースを更に備え、
前記メッセージ生成部は、特定情報を受けた時に、前記第１データベースと前記第２データベースに基づいて、前記メッセージを作成することを特徴とする請求項１に記載の情報送信システム。
【請求項１０】
前記特定情報は、場所に関する情報を含み、
前記場所に関する情報と、前記第２データベースに基づいて、前記メッセージを送信する携帯電話が決定されることを特徴とする請求項９に記載の情報送信システム。
【請求項１１】
前記送信対象の携帯電話には、前記メッセージ生成部に、前記メッセージを要求する指示信号若しくは指示メールを送信するソフトウエアがインストールされ、
前記指示信号若しくは前記指示メールには、前記送信対象の携帯電話の位置情報が含まれ、前記メッセージ生成部は、前記指示信号若しくは前記指示メールに含まれた位置情報を使って、前記メッセージを作成することを特徴とする請求項１に記載の情報送信システム。
【請求項１２】
２以上のライブカメラが設置された位置を示すマークが重畳された地図を記録するサーバーと、
携帯電話に送信されるメッセージを作成するメッセージ生成部とを備え、
前記メッセージは、送信対象の携帯電話の位置情報に基づいて作成され、前記サーバーに記録された地図であって、前記送信対象の携帯電話がある位置と、前記送信対象の携帯電話がある位置の周囲に配置されたライブカメラに関する情報を有するものを含み、
前記送信対象の携帯電話には、前記メッセージを受信した時に、内蔵されている無線ＬＡＮ機能をオン状態に切り替えるソフトウエアがインストールされることを特徴とする情報送信システム。
【請求項１３】
携帯電話に送信されるメッセージを作成するメッセージ生成部であって、
２以上のライブカメラが設置された位置を示すマークが重畳された地図であって、サーバーに記録されるものを作成するために使用され、前記ライブカメラが設置された位置、前記ライブカメラで撮影された画像を表示するウェブページのＵＲＬ、前記ウェブページにおける前記ライブカメラで撮影された画像を表示する領域、前記ライブカメラの稼働状態に関する情報を有する第１データベースと、送信対象の携帯電話の位置情報に基づいて、前記メッセージは作成され、
前記メッセージは、前記サーバーに記録された地図であって、前記送信対象の携帯電話がある位置と、前記送信対象の携帯電話がある位置の周囲に配置されたライブカメラに関する情報を有するものを含むことを特徴とするメッセージ生成部。
【発明の詳細な説明】
【技術分野】
【０００１】
本発明は、送信対象の携帯電話の周囲の情報を提供する情報送信システムに関する。
【背景技術】
【０００２】
特許文献１などで、ネットワークを介して画像閲覧が可能なライブカメラであって、携帯電話の周辺にあるものをリスト表示する画像提供サービスシステムが提案されている。
【先行技術文献】
【特許文献】
【０００３】
【特許文献１】特開２００５−１１７５６６号公報
【発明の概要】
【発明が解決しようとする課題】
【０００４】
しかしながら、ライブカメラ情報は、文字で表されたリストであり、送信対象の携帯電話との位置関係が分かりにくい。
【０００５】
したがって本発明の目的は、複数のライブカメラとの位置関係の把握が容易に出来る情報送信システムを提供することである。
【課題を解決するための手段】
【０００６】
本発明に係る情報送信システムは、２以上のライブカメラが設置された位置を示すマークが重畳された地図を記録するサーバーと、ＳＭＳ若しくはＥ−ｍａｉｌで携帯電話に送信されるメッセージを作成するメッセージ生成部とを備え、メッセージは、送信対象の携帯電話の位置情報に基づいて作成され、サーバーに記録された地図であって、送信対象の携帯電話がある位置と、送信対象の携帯電話がある位置の周囲に配置されたライブカメラに関する情報を有するものを含む。
【０００７】
サーバーに記録された地図には、情報送信システムで使用されるライブカメラの位置が含まれているため、メッセージを受信した携帯電話の使用者は、携帯電話と複数のライブカメラとの位置関係を容易に把握することが可能になる。
【０００８】
好ましくは、サーバーに記録された地図には、情報送信システムで使用されるライブカメラがある位置に特定のマークが重畳され、マークには、ライブカメラで撮影された画像を表示するウェブページにアクセスするためのＵＲＬ情報を含む第１ハイパーリンクが施される。
【０００９】
サーバーに記録された地図には、ライブカメラの位置を示すマークに当該ライブカメラで撮影された画像を表示するウェブページにアクセスするためのＵＲＬ情報を含むハイパーリンク（第１ハイパーリンク）が施されており、メッセージを受信した携帯電話（送信対象の携帯電話）の使用者によって、当該第１ハイパーリンクが施されたマークがクリックされると、送信対象の携帯電話は、当該マークのライブカメラで撮影された画像を表示するウェブページにアクセスし、これによって送信対象の携帯電話のブラウザには、ライブカメラ画像を含むウェブページが表示される。
【００１０】
送信対象の携帯電話の使用者は、周囲の地図や、周囲に設けられたライブカメラの画像を取得することが出来、当該ライブカメラ画像を見て、当該ライブカメラで撮影された場所の状況を知ることが可能になる。
【００１１】
さらに好ましくは、メッセージは、第１ハイパーリンクが施されたマークが重畳された地図をブラウザ表示するために、サーバーにアクセスした場合に、送信対象の携帯電話がある位置が含まれるように地図表示されるような第２ハイパーリンクが施された地図ＵＲＬ表示欄を含む。
【００１２】
さらに好ましくは、メッセージの送信は、ＳＭＳを使用して行われる。
【００１３】
メッセージの送信手段として、ＳＭＳを使用するため、ＳＭＴＰ（Simple Mail Transfer Protocol）などを使ったメールサーバーを介してメッセージを送信するＥ−ｍａｉｌを使用する形態に比べて、早く確実に送信を完了させることが可能になる。
【００１４】
さらに好ましくは、送信対象の携帯電話には、メッセージを受信した時、若しくは、第２ハイパーリンクをクリックした時に、内蔵されている無線ＬＡＮ機能をオン状態に切り替えるソフトウエアがインストールされる。
【００１５】
災害発生時には、輻輳制御が行われる可能性があるが、ＳＭＳであれば、通信が混雑する前で輻輳制御が行われる前に、送信対象の携帯電話に配信することが出来る。ＳＭＳのメッセージ受信後は、電話回線を使って地図やライブカメラのウェブページにアクセスするのが困難になるかもしれないが、災害発生時に無償で開放される可能性が高い無線ＬＡＮを使って、当該ウェブページへのアクセスを確保することが出来る。
【００１６】
また、好ましくは、第２ハイパーリンクは、サーバーにアクセスするためのアドレスと、地図表示の際に中心近傍となる位置の緯度経度情報と、縮尺情報を含み、縮尺情報で設定される縮尺は、送信対象の携帯電話と情報送信システムで使用されるライブカメラとの位置関係に基づいて、調整される。
【００１７】
また、好ましくは、サーバーに記録される地図を作成するために使用され、ライブカメラが設置された位置、ライブカメラで撮影された画像を表示するウェブページのＵＲＬ、ウェブページにおけるライブカメラで撮影された画像を表示する領域、ライブカメラの稼働状態に関する情報を有する第１データベースを更に備え、稼働状態に関する情報は、第１時間ごとに更新され、稼働状態に関する情報を更新するため、第１時間ごとに、ウェブページにおけるライブカメラで撮影された画像を表示する領域の静止画が取得され、静止画を取得出来ない場合、若しくは静止画の輝度若しくは明度が閾値よりも低い場合に、ライブカメラについて稼働状態でないと判断され、判断結果が、稼働状態に関する情報として第１データベースに記録され、サーバーに記録される地図には、稼働状態にないと判断されたライブカメラが設置された位置を示すマークの近傍には、稼働状態でないことを示すマークが重畳される。
【００１８】
第１データベースで、矩形領域の位置が特定されていれば、第１時間ごとに、当該矩形領域の画像を取得することで、ライブカメラの静止画を入手することが可能になるし、当該静止画を使って、ライブカメラが稼働状態であるかどうかを判断することも可能になる。
【００１９】
また、好ましくは、メッセージの送信は、Ｅ−ｍａｉｌを使用して行われ、メッセージの送信には、送信対象の携帯電話がある位置を含む地図と、送信対象の携帯電話がある位置の周囲に配置されたライブカメラで取得された静止画が添付される。
【００２０】
使用者は、メッセージを受信した後に、ネット接続が出来ない状態であっても、周囲の地図やライブカメラの静止画を視認することが可能になる。メッセージを受信した後も、ネット接続が可能な場合には、Ｅ−ｍａｉｌに添付された地図におけるライブカメラのマークに施された第１ハイパーリンクをクリックすることで、当該ライブカメラで撮影された画像を表示するウェブページにアクセスし、当該ウェブページにおけるライブカメラ画像を見ることも可能になる。
【００２１】
また、好ましくは、対象の携帯電話の位置情報を含み、第２時間ごとに更新される第２データベースを更に備え、メッセージ生成部は、特定情報を受けた時に、第１データベースと第２データベースに基づいて、メッセージを作成する。
【００２２】
さらに好ましくは、特定情報は、場所に関する情報を含み、場所に関する情報と、第２データベースに基づいて、メッセージを送信する携帯電話が決定される。
【００２３】
当該メッセージに含まれる地図やライブカメラ情報を必要とする可能性が高い携帯電話の使用者（特定情報に含まれる場所から近い位置に居る使用者の携帯電話）に限定してメッセージ送信を行うので、メッセージ送信時の通信負荷を少なくすることが可能になる。
【００２４】
また、好ましくは、送信対象の携帯電話には、メッセージ生成部に、メッセージを要求する指示信号若しくは指示メールを送信するソフトウエアがインストールされ、指示信号若しくは指示メールには、送信対象の携帯電話の位置情報が含まれ、メッセージ生成部は、指示信号若しくは指示メールに含まれた位置情報を使って、メッセージを作成する。
【００２５】
指示信号若しくは指示メールに、送信対象の携帯電話の位置情報を含めて送信し、メッセージ生成部は、指示信号などに含まれる位置情報に基づいて、地図情報などを送信対象の携帯電話に送信すると、使用者が所望する時に、最新の位置情報に基づいて、地図情報などを提供することが可能になる。
【発明の効果】
【００２６】
以上のように本発明によれば、複数のライブカメラとの位置関係の把握が容易に出来る情報送信システムを提供することができる。
【図面の簡単な説明】
【００２７】
【図１】本実施形態における情報送信システムの構成図である。
【図２】ライブカメラの位置情報を含む第１データベースのコンテンツを示す図である。
【図３】第１１カメラのライブカメラ画像を表示するウェブページ例を示す図である。
【図４】ライブカメラの位置情報などが重畳された地図情報の例を示す図である。
【図５】送信対象の携帯電話の位置情報などを含む第２データベースのコンテンツを示す図である。
【図６】メッセージ生成部周辺の構成図である。
【図７】ＳＭＳで送信するメッセージの内容を示す図である。
【図８】メッセージに含まれる第２ハイパーリンクをクリックして得られる地図画面の例を示す図である。
【図９】図８の状態から、携帯電話に近い順に振り直した番号でライブカメラ位置を表わす地図画面の例を示す図である。
【図１０】Ｅ−ｍａｉｌで送信するメッセージの内容で、地図ＵＲＬ表示欄を含まないものを示す図である。
【図１１】Ｅ−ｍａｉｌで送信するメッセージの内容で、地図ＵＲＬ表示欄を含むものを示す図である。
【発明を実施するための形態】
【００２８】
以下、第１実施形態について、図を用いて説明する。第１実施形態における情報送信システム１は、無線アクセスネットワーク（RAN：Radio Access Network）１０、コアネットワーク（CN：Core Network）３０、情報源発信部４０、メッセージ生成部５０、第１データベース５１、第２データベース５２、サーバー６０、及び第１〜第５携帯電話２０１〜２０５を備える（図１参照）。
【００２９】
無線アクセスネットワーク１０は、携帯電話と対向して無線リンクを形成する第１〜第１２基地局（BTS：Base Transceiver Station）１０１〜１１２を有する。コアネットワーク３０は、他の通信キャリアなどの電話網との接続のためのゲートウェイ交換機（GMSC：Gateway Mobile Switching Center）３１、携帯電話番号や端末識別番号などのユーザー情報を管理するデータベースであるＨＬＲ（Home Location Register）３３、ＳＭＳ（Short Message Service）用に作成されたＳＭＳメッセージを受信先の携帯電話が受信可能な状態になるまで保持するメッセージサービス蓄積装置（MPS：Message Processing System）３５、及び携帯電話のルーチング（通信ルートの選定）、呼設定・切断、課金等を行う第１〜第４移動交換機（MSC：Mobile Switching Center）３６〜３９を有する。なお、携帯電話や移動交換機の数は、上記のものに限られない。
【００３０】
第１〜第５携帯電話２０１〜２０５は、無線アクセスネットワーク１０、及びコアネットワーク３０を使って、通常の携帯電話で使用される通話などの通信が可能である。この通信には、ゲートウェイ交換機３１を介した、他の通信キャリアや固定電話の電話機との通信（通話）を含む。
【００３１】
例えば、第１携帯電話２０１と第２携帯電話２０２との間は、第２基地局１０２、第１移動交換機３６、ゲートウェイ交換機３１、第２移動交換機３７、及び第４基地局１０４を介して通信（通話）が可能な状態にされる。また、同じ移動交換機のエリア内に居る場合には、ゲートウェイ交換機３１を介さないで通信が可能である。例えば、同じ第２移動交換機３７のエリア内に居る第２携帯電話２０２と第３携帯電話２０３とは、第４基地局１０４、第２移動交換機３７、及び第６基地局１０６を介して通信が可能である。
【００３２】
さらに、通常の通信の他、第１実施形態では、情報源発信部４０から特定情報が出力された場合に、メッセージ生成部５０によって、送信対象の携帯電話に、送信対象の携帯電話の周囲の地図であって送信対象の携帯電話の近くにあるライブカメラの位置や向きを含むものにアクセスするためのＵＲＬ（Uniform Resource Locator）情報を含むメッセージの作成や、送信対象の携帯電話（第１〜第５携帯電話２０１〜２０５）へ当該メッセージの送信が行われる。
【００３３】
第１〜第３基地局１０１〜１０３は、第１移動交換機３６と接続する。第４〜第６基地局１０４〜１０６は、第２移動交換機３７と接続する。第７〜第９基地局１０７〜１０９は、第３移動交換機３８と接続する。第１０〜第１２基地局１１０〜１１２は、第４移動交換機３９と接続する。第１〜第４移動交換機３６〜３９、ＨＬＲ３３、及びメッセージサービス蓄積装置３５は、ゲートウェイ交換機３１と接続する。
【００３４】
ＨＬＲ３３は、第１〜第４移動交換機３６〜３９それぞれがカバーするエリアごとの位置登録データベースであるＶＬＲ（Visitor Location Register、不図示）から第１〜第５携帯電話２０１〜２０５の位置情報を取得する。位置情報を取得するため、位置登録通信（携帯電話がどの基地局のエリアに居るかをコアネットワーク３０に知らせるための、携帯電話と基地局間で常時行われる通信）が実行されると、ＶＬＲ及びＨＬＲ３３の携帯電話ごとの位置情報が更新される。ＨＬＲ３３は、通常の通信の際の着信する（呼び出しする）携帯電話の場所を特定するために使用される他、第１実施形態では、第２データベース５２の作成に使用される。
【００３５】
情報源発信部４０は、特定情報をメッセージ生成部５０に出力する。特定情報は、少なくとも場所に関連する情報を有し、当該特定情報を受信した後に、メッセージ生成部５０は、メッセージ作成する。第１実施形態では、特定情報は、地震などの災害情報であるとして説明するが、他の情報であってもよい。また、地震発生報告など過去に発生した情報だけでなく、地震予知など将来に発生が予測される情報であってもよい。情報源発信部４０は、メッセージ生成部５０とネットワーク接続が可能な状態で、気象庁など災害の情報を発信できる場所に設置される。但し、情報源発信部４０を設置せず、災害の情報を受けて、メッセージ生成部５０に特定情報を入力する形態であってもよい。
【００３６】
パーソナルコンピュータやワークステーションで構成されるメッセージ生成部５０は、ゲートウェイ交換機３１、メッセージサービス蓄積装置３５、第１データベース５１、第２データベース５２、及び情報源発信部４０、及びサーバー６０と接続する。メッセージ生成部５０には、ＨＬＲ３３の情報などに基づいて第１データベース５１や第２データベース５２を作成し、情報源発信部４０から出力される特定情報、及び第１データベース５１や第２データベース５２に基づいてメッセージを送信対象の携帯電話ごとに作成し、メッセージサービス蓄積装置３５に出力する制御を行うソフトウエアがインストールされている。メッセージサービス蓄積装置３５は、メッセージを受信する携帯電話が受信可能な状態になるまで、メッセージを保存し、受信可能な状態になると、ゲートウェイ交換機３１などを介して送信対象の携帯電話にメッセージを送信する。
【００３７】
第１データベース５１は、第１実施形態における情報送信システム１で使用するライブカメラの位置情報などのデータベースであり、情報送信システム１の製作者などが、インターネット上で開示されているライブカメラの情報に基づいて、具体的には、インターネット上で開示されているライブカメラの中から、第１実施形態における情報送信システム１で使用するライブカメラをピックアップし、ピックアップしたライブカメラについて位置情報などを調べて、作成する（図２参照）。
【００３８】
図２は、第１データベース５１の例として、複数のライブカメラのうち、第１１カメラＣ１１〜第１５カメラＣ１５の情報を示す部分を表す。
【００３９】
第１データベース５１は、情報送信システム１で使用するライブカメラのそれぞれについて、位置情報（ライブカメラが設置された位置の緯度情報、経度情報）、カメラの向き（撮像面の法線方向）、ライブカメラ画像にアクセスするためのＵＲＬ（ライブカメラで撮影された画像を表示するウェブページのＵＲＬ）、ライブカメラの稼働状態に関する情報を有する。
【００４０】
稼働状態に関する情報以外の情報（位置情報、向き情報、ＵＲＬ）は、情報送信システム１の製作者などによって、事前に手動で作成される。
【００４１】
また、第１データベース５１は、ライブカメラで撮影された画像を表示するウェブページ上において、ライブカメラで撮影された画像を表示する領域、すなわち、ウェブページにおけるライブカメラ画像を静止画として取得する位置（ライブカメラ画像を構成する矩形領域の位置）に関する情報を有する。
【００４２】
ウェブページ上におけるライブカメラ画像の位置は、例えば、ライブカメラ画像を構成する矩形領域の左上の頂点について、ウェブページの左端からの距離ｄｘ１や上端からの距離ｄｙ１、当該矩形領域の右下の頂点について、ウェブページの左端からの距離ｄｘ２や上端からの距離ｄｙ２で特定される（図３参照）。
【００４３】
ライブカメラ画像の静止画は、当該矩形領域の画像が用いられる。
【００４４】
第１データベース５１で、矩形領域の位置が特定されていれば、第１時間ｔ１（例えば、１０分）ごとに、当該矩形領域の画像を取得することで、ライブカメラの静止画を入手することが可能になるし、後述するように、当該静止画を使って、ライブカメラが稼働状態であるかどうかを判断することも可能になる。
【００４５】
ライブカメラは、新設されたり、設置状態が変更されたりする可能性があるため、一定期間（例えば、１か月）ごとに第１実施形態における情報送信システム１で使用するライブカメラの見直しを行うのが望ましい。
【００４６】
稼働状態に関する情報は、対応するライブカメラが稼働状態にあるかどうかを示す情報で、当該ＵＲＬにアクセスし、第１時間ｔ１ごとに更新される。
【００４７】
具体的には、メッセージ生成部５０は、第１時間ｔ１ごとに、ライブカメラで得られた画像の静止画（ウェブページ上でライブカメラ画像を構成する矩形領域の静止画像）を取得し、サーバー６０に記録する。メッセージ生成部５０は、当該静止画の輝度（若しくは明度）に基づいて、対応するライブカメラが稼働状態にあるかどうかを判断し、第１データベース５１の稼働状態のパラメータを更新する。
【００４８】
対応するライブカメラのウェブページのＵＲＬにアクセスできない場合、静止画を取得出来ない場合、静止画を取得出来るが内容を視認できないような低輝度（若しくは低明度）である場合には、使用不能状態であるとして稼働状態パラメータを１とし、ＵＲＬにアクセスでき、静止画を取得出来、且つ内容を視認できる状態である場合には、使用可能状態であるとして稼働状態パラメータを０とする。
【００４９】
図２は、第１３カメラＣ１３について、対応するＵＲＬ（http://www.△△△）にアクセスできないか、静止画を取得出来ないか、静止画を取得出来るが暗くて内容を視認できない状態であることを示す。
【００５０】
他のカメラ（第１１カメラＣ１１、第１２カメラＣ１２、第１４カメラＣ１４、第１５カメラＣ１５）については、対応するＵＲＬ（http://www.○○○、http://www.×××、http://www.□□□、http://www.●▲■）にアクセスでき、かつ内容を視認できる静止画を取得出来る状態であることを示す
【００５１】
メッセージ生成部５０は、第１データベース５１に基づいて、第１時間ｔ１ごとに、地図に、第１１カメラＣ１１など、情報送信システム１で使用するライブカメラがある位置にマークと方向を重畳した地図を生成し、サーバー６０に記録する（図４参照）。
【００５２】
地図に重畳されたマーク（矩形形状のマーク）には、ライブカメラの整理番号が付与され、当該ライブカメラで撮影された画像を表示するウェブページにアクセスするためのＵＲＬ情報を含むハイパーリンク（第１ハイパーリンク）が施される。
【００５３】
図４は、地図上に、第１１カメラＣ１１〜第１５カメラＣ１５がある位置にカメラの番号を含む矩形マークと向きを示す矢印を重畳した地図情報の例を示す。
【００５４】
稼働状態でないライブカメラについては、当該丸印の近傍に稼働状態でないことを示すマーク（例えば、×印）を重畳される。
【００５５】
第２データベース５２は、第１実施形態における情報送信システム１を活用する第１〜第５携帯電話２０１〜２０５の位置情報のデータベースであり、ＨＬＲ３３の情報などに基づいて作成される。
【００５６】
第２データベース５２は、携帯電話名称、電話番号（携帯電話を識別する情報であれば利用者名称など他の情報でも良い）、位置情報（緯度経度情報）、測位日時（時間情報）を有する（図５参照）。メッセージ生成部５０は、第２データベース５２を作成するため、ＨＬＲ３３から第１〜第５携帯電話２０１〜２０５の位置情報を取得する。
【００５７】
ＨＬＲ３３に記録される位置情報は、単独の基地局からの電波の情報を元に算出するセルベース測位によるもので１００〜１００００メートル単位の誤差がある。そのため、第１実施形態では、メッセージ生成部５０が、ゲートウェイ交換機３１、第１〜第４移動交換機３６〜３９、第１〜第１２基地局１０１〜１１２を介して、第１〜第５携帯電話２０１〜２０５と通信して更に精度の高い位置情報を取得する形態であってもよい。
【００５８】
具体的には、携帯電話がＧＰＳ(Global Positioning System)機能を有しＧＰＳ測位が可能な状態である場合には、携帯電話がＧＰＳ測位による緯度経度情報を取得し、ＧＰＳ機能を有しないまたはＧＰＳ測位が可能でない場合には、３基以上の基地局からの電波情報を元に位置を算出する複数基地局測位による緯度経度情報を取得する。ＧＰＳ測位の場合は約１０メートル単位にまで、複数基地局測位の場合は約１００メートル単位にまで、誤差を少なくすることが可能になる。ＧＰＳ測位や複数基地局測位による緯度経度情報は、通常の位置登録通信で使用される電波に重畳して送信してもよいし、別途他のデータ通信を使って送信してもよい。
【００５９】
図５は、第２データベース５２の具体例として、第１〜第５携帯電話２０１〜２０５の緯度経度情報などを示す。電源がオフにされているなど、携帯電話との通信が行えない場合は、測位日時が古くなる（早い時間になる）ことが起こり得る（図５の第４携帯電話２０４の測位日時参照）。
【００６０】
測位日時が古い位置情報に対応する携帯電話については、位置情報が正確でない可能性が高いので、新しい位置情報が取得出来るまで、メッセージ作成や送信を待つ形態であってもよい。
【００６１】
第２データベース５２の位置情報（緯度経度情報、測位日時）作成は、さらに通信キャリアが有する他の位置情報データベースに基づくものであってもよい。
【００６２】
ＧＰＳ測位や複数基地局測位は、第２時間ｔ２ごと、例えば位置登録通信が行われるたびに行われ、第２データベース５２は、かかる通信によりＨＬＲ３３の更新に対応して更新される。
【００６３】
第２データベース５２を使って、サーバー６０に記録した地図について、第１携帯電話２０１〜第５携帯電話２０５に、送信対象の携帯電話がある位置や周囲のライブカメラの位置や向きの情報を含む一定領域を表示するようにアクセスするためのＵＲＬ（地図ＵＲＬ表示欄）を含むメッセージが生成され、第１携帯電話２０１〜第５携帯電話２０５に送信される。
【００６４】
情報源発信部４０から特定情報を受信すると、メッセージ生成部５０は、第２データベース５２に基づいてメッセージを送信対象の携帯電話ごとに作成し、メッセージサービス蓄積装置３５に出力する。
【００６５】
具体的には、メッセージ生成部５０は、地図などの情報を送る旨の本文表示欄と、第１ハイパーリンクが施されたマークが重畳された地図をブラウザ表示するために、サーバー６０にアクセスした場合に、送信対象の携帯電話がある位置が含まれる（例えば、携帯電話がある位置が中心近傍に配置される）ように地図表示されるような第２ハイパーリンクが施された地図ＵＲＬ表示欄を含むメッセージを作成する。
【００６６】
第２ハイパーリンクは、前半部分に、サーバー６０にアクセスするためのアドレス（ｈｔｔｐ：／／ｗｗｗ．ｃｈｉｚｕ．ｃｏ．ｊｐ／ｍａｐｓ／）が設けられ、後半部分に、地図表示の際に中心近傍となる位置の緯度経度情報と、縮尺情報（ズームレベル）が設けられる（図７参照）。
【００６７】
図７は、送信対象の携帯電話（第１携帯電話２０１）が、北緯３５．６４９８７２度、東経１３９．７２９３４３度にあり、かかる位置を含む地図を、特定の値（１７ｚ）に対応した縮尺（ズームレベル）で表示させるためのＵＲＬ情報（地図ＵＲＬ表示欄）を含むメッセージの例を示す。
【００６８】
予め設定された所定の縮尺（固定のズームレベル）で表示させるように、第２ハイパーリンクに関連づけられたＵＲＬ情報を作成する形態であってもよいが、送信対象の携帯電話と情報送信システム１で使用されるライブカメラとの位置関係に基づいて、縮尺が調整される形態であってもよい。
【００６９】
例えば、メッセージ生成部５０が、情報送信システム１で使用される稼働状態のライブカメラであって送信対象の携帯電話と最も近いものが、表示される程度の縮尺を算出し、当該算出した縮尺（ズームアウトした縮尺）で表示されるように、第２ハイパーリンクに関連づけられたＵＲＬ情報を作成する形態が考えられる。
【００７０】
また、メッセージ生成部５０が、送信対象の携帯電話がある位置を含む一定領域内に、情報送信システム１で使用される稼働状態のライブカメラの数が閾値以上である場合には、送信対象の携帯電話に近いライブカメラだけに絞るため、当該一定領域よりも狭い領域を表示させるように調整した縮尺（ズームインした縮尺）で、第２ハイパーリンクに関連づけられたＵＲＬ情報を作成する形態が考えられる。
【００７１】
メッセージを受信した携帯電話（送信対象の携帯電話）の使用者によって、メッセージに含まれる第２ハイパーリンクがクリックされると、送信対象の携帯電話は、ブラウザを起動し、ネットワークを介して、リンク先のアドレス（ここでは、ｈｔｔｐ：ｗｗｗ．ｃｈｉｚｕ．ｃｏ．ｊｐ／ｍａｐｓ／）にアクセスする。
【００７２】
サーバー６０は、リンク先アドレスへのアクセスを受けると、第２ハイパーリンクの後半部分の内容（緯度経度情報や縮尺情報）を読みとり、当該緯度経度を中心に、当該縮尺の地図を含むウェブページの情報を送信対象の携帯電話に送信し、送信対象の携帯電話のブラウザは、該ウェブページ（図８参照）を表示する。
【００７３】
地図表示では、自者位置（送信対象の携帯電話の位置）を示すマーク（ここでは黒丸）を表示させるのが望ましい。
【００７４】
地図に重畳されているライブカメラの番号は、サーバー６０に記録されているライブカメラの整理番号をそのまま表示する形態（図８参照）であってもよいし、携帯電話のモニター上に表示されている領域内のライブカメラについて、携帯電話に近い順に振り直した番号を表示する形態であってもよい（図９参照）。
【００７５】
ブラウザ画面表示のためには、インターネット接続が必要になるため、当該メッセージを受信した時、若しくは、第２ハイパーリンクをクリックした時に、自動的に無線ＬＡＮ機能をオン状態に切り替えるソフトウエアが送信対象の携帯電話にインストールされているのが望ましい。
【００７６】
災害発生時には、輻輳制御が行われて、携帯電話の回線が繋がりにくくなる可能性があるが、無線ＬＡＮは、有料の無線ＬＡＮも一般に無償で開放されて、インターネットへアクセスしやすい状況になる可能性があり、無線ＬＡＮを活用して、周辺の地図やライブカメラの情報を取得する趣旨である。
【００７７】
サーバー６０に記録された地図には、情報送信システム１で使用されるライブカメラの位置や向きが重畳されているため、メッセージを受信した携帯電話のブラウザは、携帯電話の位置の周囲にあるライブカメラの位置や向きを地図と一緒に表示させ、携帯電話の使用者は、携帯電話と複数のライブカメラとの位置関係を容易に把握することが可能になる。
【００７８】
また、サーバー６０に記録された地図には、ライブカメラの位置を示すマークに当該ライブカメラで撮影された画像を表示するウェブページにアクセスするためのＵＲＬ情報を含むハイパーリンク（第１ハイパーリンク）が施されており、メッセージを受信した携帯電話（送信対象の携帯電話）の使用者によって、当該第１ハイパーリンクが施されたマークがクリックされると、送信対象の携帯電話は、当該マークのライブカメラで撮影された画像を表示するウェブページにアクセスし、これによって送信対象の携帯電話のブラウザには、ライブカメラ画像を含むウェブページ（図３参照）が表示される。
【００７９】
送信対象の携帯電話の使用者は、周囲の地図や、周囲に設けられたライブカメラの画像を取得することが出来、当該ライブカメラ画像を見て、当該ライブカメラで撮影された場所の状況を知ることが可能になる。
【００８０】
第１実施形態では、メッセージの送信手段として、ＳＭＳを使用するため、ＳＭＴＰ（Simple Mail Transfer Protocol）などを使ったメールサーバー（例えば、サーバー６０）を介してメッセージを送信するＥ−ｍａｉｌを使用する形態に比べて、早く確実に送信を完了させることが可能になる。
【００８１】
災害発生時には、輻輳制御が行われる可能性があるが、ＳＭＳであれば、通信が混雑する前で輻輳制御が行われる前に、送信対象の携帯電話に配信することが出来る。ＳＭＳのメッセージ受信後は、電話回線を使って地図やライブカメラのウェブページにアクセスするのが困難になるかもしれないが、災害発生時に無償で開放される可能性が高い無線ＬＡＮを使って、当該ウェブページへのアクセスを確保することが出来る。
【００８２】
但し、メッセージの送信手段は、メールサーバーを介してメッセージを送信するＥ−ｍａｉｌを使用する形態であってもよい（第２実施形態）。
【００８３】
第２実施形態では、メッセージ生成部５０は、携帯電話番号を宛先として、メッセージサービス蓄積装置３５にメッセージを出力する代わりに、Ｅ−ｍａｉｌアドレスを宛先として、インターネットプロバイダーや通信キャリアなどが有するメールサーバーに対して、送信対象の携帯電話の周囲の地図やライブカメラの情報を含むメッセージを出力する。
【００８４】
このため、第２実施形態では、第２データベース５２は、電話番号に変えて、携帯電話に対応する（若しくは携帯電話の所有者に対応する）Ｅ−ｍａｉｌアドレスの情報を有する必要がある。
【００８５】
メールサーバーを介したＥ−ｍａｉｌを使用する形態では、画像ファイルを添付することも出来る。
【００８６】
このため、第２実施形態で携帯電話に送信されるメッセージは、地図ＵＲＬ表示欄を含むもの（第１実施形態のメッセージと同じもの）であってもよいし、地図やライブカメラ情報を送る旨の内容の本文に、サーバー６０に記録された地図のうち、送信対象の携帯電話の周囲を含む一定領域で第１ハイパーリンクが施されたマークが重畳されたものや、情報送信システム１で使用されるライブカメラであって、稼働状態にあり、且つ当該一定領域に位置するもので得られた最新の静止画像（サーバー６０に記録したライブカメラの静止画像で、第１時間ｔ１ごとに更新されたもの）を添付する形態であってもよい（図１０参照）。
【００８７】
また、地図ＵＲＬ表示欄を含み、且つ地図や静止画像を添付する形態であってもよい（図１１参照）。
【００８８】
この場合、使用者は、メッセージを受信した後に、ネット接続が出来ない状態であっても、周囲の地図やライブカメラの静止画を視認することが可能になる。メッセージを受信した後も、ネット接続が可能な場合には、Ｅ−ｍａｉｌに添付された地図におけるライブカメラのマークに施された第１ハイパーリンクをクリックすることで、当該ライブカメラで撮影された画像を表示するウェブページにアクセスし、当該ウェブページにおけるライブカメラ画像を見ることも可能になる。
【００８９】
第１実施形態や第２実施形態では、情報源発信部４０から特定情報の出力を受けた場合に、メッセージ生成部５０は、第２データベース５２に含まれる総ての携帯電話に対してメッセージを送信する形態を説明したが、特定情報に含まれる場所に関連する情報に基づき、送信対象の携帯電話を選別する形態であってもよい。
【００９０】
例えば、メッセージ生成部５０は、特定情報に含まれる場所から一定距離の範囲内に位置する携帯電話に対して、メッセージを送信し、範囲外に位置する携帯電話に対しては、メッセージを送信しない形態が考えられる。
【００９１】
これにより、当該メッセージに含まれる地図やライブカメラ情報を必要とする可能性が高い携帯電話の使用者（特定情報に含まれる場所から近い位置に居る使用者の携帯電話）に限定してメッセージ送信を行うので、メッセージ送信時の通信負荷を少なくすることが可能になる。
【００９２】
また、第１実施形態や第２実施形態では、情報源発信部４０が特定情報をメッセージ生成部５０に出力したことがトリガーとなって、メッセージ生成部５０がメッセージ（添付ファイルを含む）を、送信対象の携帯電話に送信する形態を説明したが、送信対象の携帯電話からの要求信号を受けた時に、メッセージ生成部５０がメッセージを送信する形態であってもよい。
【００９３】
この場合は、送信対象の携帯電話に、メッセージ生成部５０に、メッセージを要求する指示信号若しくは指示メールを送信するソフトウエアがインストールされる。指示信号若しくは指示メールを受けると、メッセージ生成部５０は、メッセージを生成し、送信する。
【００９４】
指示信号若しくは指示メールを送信するソフトウエアが起動した時、若しくは、指示信号若しくは指示メールを送信するための操作が行われた時に、自動的に無線ＬＡＮ機能をオン状態に切り替えるソフトウエアが送信対象の携帯電話にインストールされているのが望ましい。
【００９５】
指示信号若しくは指示メールに、送信対象の携帯電話の位置情報を含めて送信し、メッセージ生成部５０は、指示信号などに含まれる位置情報に基づいて、地図情報などを送信対象の携帯電話に送信すると、使用者が所望する時に、最新の位置情報に基づいて、地図情報などを提供することが可能になる。
【符号の説明】
【００９６】
１  情報送信システム
１０  無線アクセスネットワーク
３０  コアネットワーク
３１  ゲートウェイ交換機
３３  ＨＬＲ
３５  メッセージサービス蓄積装置
３６〜３９  第１〜第４移動交換機
４０  情報源発信部
５０  メッセージ生成部
５１、５２  第１データベース、第２データベース
６０  サーバー
１０１〜１１２  第１〜第１２基地局
２０１〜２０５  第１〜第５携帯電話
ｄｘ１  ライブカメラ画像を構成する矩形領域の左上の頂点について、ウェブページの左端からの距離
ｄｘ２  ライブカメラ画像を構成する矩形領域の右下の頂点について、ウェブページの左端からの距離
ｄｙ１  ライブカメラ画像を構成する矩形領域の左上の頂点について、ウェブページの上端からの距離
ｄｙ２  ライブカメラ画像を構成する矩形領域の右下の頂点について、ウェブページの上端からの距離
【図１】
0006306469.tif 000002
【図２】
0006306469.tif 000003
【図３】
0006306469.tif 000004
【図４】
0006306469.tif 000005
【図５】
0006306469.tif 000006
【図６】
0006306469.tif 000007
【図７】
0006306469.tif 000008
【図８】
0006306469.tif 000009
【図９】
0006306469.tif 000010
【図１０】
0006306469.tif 000011
【図１１】
0006306469.tif 000012